(57)【特許請求の範囲】
【請求項１】
先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手構造であって、
前記目地部に、当該目地幅に対して伸縮部の平面幅が異なる前記可撓止水継手を配置し、
この可撓止水継手の伸縮部と前記目地材との間に鋭角部のない継手端面を形成し得る補助部材を設けて構成したことを特徴とするコンクリート構造体の継手構造。
【請求項２】
前記補助部材を、継手構造に埋設される埋設部材で構成してなることを特徴とする請求項１記載のコンクリート構造体の継手構造。
【請求項３】
前記埋設部材を、前記可撓止水継手と接着または一体化して構成してなることを特徴とする請求項２記載のコンクリート構造体の継手構造。
【請求項４】
前記補助部材を、空間を形成し得る補助型枠で構成してなることを特徴とする請求項１記載のコンクリート構造体の継手構造。
【請求項５】
先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手を施工するに際し、
前記目地部に、当該目地幅に対して前記伸縮部の平面幅が異なる前記可撓止水継手を配置し、
前記目地部の一方側に、前記伸縮部の平面端を越えた外側または平面端の内側と接する端面用型枠部材とこれに連続させて補助部材とを配置し、あるいは当該平面端に端面用型枠部材を配置した後、コンクリートを打設して鋭角部のない継手端面を形成し、
この継手端面に当てて目地材を配置し、
次いで、この目地材の端面の外側、あるいは、この目地材の端面とこれに連続させる補助部材との外側にコンクリートを打設して鋭角部のない継手端面を形成するようにしたことを特徴とするコンクリート構造体の継手の施工方法。
【請求項６】
前記補助部材を、継手構造に埋設される埋設部材で構成して前記継手端面を形成するようにしたことを特徴とする請求項５記載のコンクリート構造体の継手の施工方法。
【請求項７】
前記埋設部材を、前記可撓止水継手と接着または一体化して構成して前記継手端面を形成するようにしたことを特徴とする請求項６記載のコンクリート構造体の継手の施工方法。
【請求項８】
前記補助部材を、コンクリート打設後取り除くようにして空間を備えた継手端面を形成するようにしたことを特徴とする請求項５記載のコンクリート構造体の継手の施工方法。
【発明の詳細な説明】
【技術分野】
【０００１】
この発明は、コンクリート構造体の継手構造およびその施工方法に関し、コンクリートを打ち継いで構築される、水路、水処理施設、海洋護岸、トンネル、共同溝などのコンクリート構造体の継手部に設置する可撓止水継手の伸縮部の平面幅が目地幅と合致しない場合であって構造体の変位で損傷しないようにしたものである。
【背景技術】
【０００２】
コンクリートを打ち継いで構築されるコンクリート構造体である水路や水槽あるいは共同溝等の地中に構築される暗渠などの壁部分の継手部には、内外を止水するとともにその両側のコンクリート構造体の地震時変位並びに温度変化等に起因する壁部分の伸縮等を許容する必要があり、止水板などの可撓止水継手が介設された継手構造が採られている。
【０００３】
このようなコンクリート構造体の継手構造には、可撓止水継手としては、例えば特許文献１に開示された止水板１が用いられており、図１０に示すように、中央部のセンタバルブと呼ばれる中空の伸縮部２の両端に複数のサイドバルブと呼ばれる係止凸条部３を備えて構成され、センタバルブである伸縮部２を目地部４に配置するとともに、両端部の係止凸条部３を打設される先行および後行のコンクリート構造体５，６内にそれぞれ埋設して固定するようにし、伸縮部２上の目地部４に目地材７を介装している。
【特許文献１】特開平９−１０５１６６号公報
【発明の開示】
【発明が解決しようとする課題】
【０００４】
通常、コンクリート構造体の継手構造に用いられる止水板１などの可撓止水部材では、伸縮部２の平面幅ｂと目地幅Ｂが同一のものが用いられるが、例えば図１１（ａ）に示すように、コンクリート構造体５、６間の目地幅Ｂを大きくしたり、逆に同図（ｂ）に示すように、小さくしなければならない場合がある。
【０００５】
このようなコンクリート構造体の目地幅Ｂと可撓止水部材１の所謂センタバルブ２の平面幅ｂとが合致しない場合、目地部４に設けられる目地材７と可撓止水部材１の形状に沿ってコンクリートを打設すると、目地材７とセンタバルブ２の外側傾斜面あるいは平面部とで、図１１中にそれぞれ拡大して示すような鋭角部（直角を含む、以下同じ）８が形成されてしまう。
【０００６】
ところが、このような鋭角部８がコンクリート構造体５，６にできると、コンクリート構造体５、６が地震などの変位で離間した場合に、水圧等で広がった目地部４に膨出した止水板１が鋭角部８と接触し損傷してしまうという問題がある。
【０００７】
また、図９（ｂ）に示すような形状の異なる可撓止水継手１´の場合も同様に、鋭角部８による損傷の問題がある。
【０００８】
この発明は、かかる従来技術の問題に鑑みてなされたものであって、コンクリート構造体の目地幅と可撓止水継手の伸縮部の平面幅が合致しない場合でも相対変位による損傷を防止できるコンクリート構造体の継手構造およびその施工方法を提供しようとするものである。
【課題を解決するための手段】
【０００９】
上記課題を解決するためこの発明の請求項１記載のコンクリート構造体の継手構造は、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手構造であって、前記目地部に、当該目地幅に対して伸縮部の平面幅が異なる前記可撓止水継手を配置し、この可撓止水継手の伸縮部と前記目地材との間に鋭角部のない継手端面を形成し得る補助部材を設けて構成したことを特徴とするものである。
【００１０】
このコンクリート構造体の継手構造によれば、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手構造であって、前記目地部に、当該目地幅に対して伸縮部の平面幅が異なる前記可撓止水継手を配置し、この可撓止水継手の伸縮部と前記目地材との間に鋭角部のない継手端面を形成し得る補助部材を設けて構成してあり、目地部に補助部材を介装することで、鋭角部のない継手端面を形成するようにし、これにより、コンクリート構造体に相対変位が生じても鋭角部がなく、可撓止水継手の損傷を防止できるようにしている。
【００１１】
また、この発明の請求項２記載のコンクリート構造体の継手構造は、請求項１記載の構成に加え、前記補助部材を、継手構造に埋設される埋設部材で構成してなることを特徴とするものである。
【００１２】
このコンクリート構造体の継手構造によれば、前記補助部材を、継手構造に埋設される埋設部材で構成しており、鋭角部が形成される部分に埋設部材を配置してコンクリートを打設することで、打設後に取り除く必要もなく、簡単に鋭角部のない継手端面を形成でき、コンクリート構造体に相対変位が生じても鋭角部がなく、可撓止水継手の損傷を防止できるようにしている。
【００１３】
さらに、この発明の請求項３記載のコンクリート構造体の継手構造は、請求項２記載の構成に加え、前記埋設部材を、前記可撓止水継手と接着または一体化して構成してなることを特徴とするものである。
【００１４】
このコンクリート構造体の継手構造によれば、前記埋設部材を、前記可撓止水継手と接着または一体化して構成しており、可撓止水継手の設置と同時に補助部材としての埋設部材を設置でき、埋設部材の設置が容易となるとともに、コンクリート打設後に取り除く必要もなく、簡単に鋭角部のない継手端面を形成でき、コンクリート構造体に相対変位が生じても鋭角部がなく、可撓止水継手の損傷を防止できるようにしている。
【００１５】
また、この発明の請求項４記載のコンクリート構造体の継手構造は、請求項１記載の構成に加え、前記補助部材を、空間を形成し得る補助部材を、補助型枠で構成し空間を形成してなることを特徴とするものである。
【００１６】
このコンクリート構造体の継手構造によれば、前記補助部材を、空間を形成し得る補助型枠で構成し空間を形成するようにしており、鋭角部が形成される部分に補助型枠を配置してコンクリートを打設後に取り除くことで、鋭角部に替わる空間を形成して鋭角部のない継手端面を簡単に形成でき、コンクリート構造体に相対変位が生じても鋭角部がなく、可撓止水継手の損傷を防止できるようにしている。
【００１７】
さらに、この発明の請求項５記載のコンクリート構造体の継手の施工方法は、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手を施工するに際し、前記目地部に、当該目地幅に対して前記伸縮部の平面幅が異なる前記可撓止水継手を配置し、前記目地部の一方側に、前記伸縮部の平面端を越えた外側または平面端の内側と接する端面用型枠部材とこれに連続させて補助部材とを配置し、あるいは当該平面端に端面用型枠部材を配置した後、コンクリートを打設して鋭角部のない継手端面を形成し、この継手端面に当てて目地材を配置し、次いで、この目地材の端面の外側、あるいは、この目地材の端面とこれに連続させる補助部材との外側にコンクリートを打設して鋭角部のない継手端面を形成するようにしたことを特徴とするものである。
【００１８】
このコンクリート構造体の継手の施工方法によれば、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手を施工するに際し、前記目地部に、当該目地幅に対して前記伸縮部の平面幅が異なる前記可撓止水継手を配置し、前記目地部の一方側に、前記伸縮部の平面端を越えた外側または平面端の内側と接する端面用型枠部材とこれに連続させて補助部材とを配置し、あるいは当該平面端に端面用型枠部材を配置した後、コンクリートを打設して鋭角部のない継手端面を形成し、この継手端面に当てて目地材を配置し、次いで、この目地材の端面の外側、あるいは、この目地材の端面とこれに連続させる補助部材との外側にコンクリートを打設して鋭角部のない継手端面を形成するようにしており、目地部の一方側に、伸縮部の平面端の外側あるいは内側の目地幅から伸縮部までの継手端面を端面用型枠部材と補助部材とで形成するか、あるいは伸縮部の平面端に端面用型枠部材で通常と同様の継手端面を形成することで、鋭角部のない継手端面を形成でき、いずれかの継手端面に接触させて目地材を配置し、この目地材の外側に目地幅の伸縮部までの平面状の継手端面を端面用型枠部材と補助部材とで形成するようにすることで、目地材の両側の継手端面に鋭角部を形成せずに簡単に形成でき、コンクリート構造体に相対変位が生じても鋭角部がなく、可撓止水継手の損傷を防止できるようにしている。
【００１９】
また、この発明の請求項６記載のコンクリート構造体の継手の施工方法は、請求項５記載の構成に加え、前記補助部材を、継手構造に埋設される埋設部材で構成して前記継手端面を形成するようにしたことを特徴とするものである。
【００２０】
このコンクリート構造体の継手の施工方法によれば、前記補助部材を、継手構造に埋設される埋設部材で構成して前記継手端面を形成するようにしており、鋭角部が形成される部分に埋設部材を配置してコンクリートを打設することで、打設後に取り除く必要もなく、簡単に鋭角部のない継手端面を形成でき、コンクリート構造体に相対変位が生じても鋭角部がなく、可撓止水継手の損傷を防止できるようにしている。
【００２１】
さらに、この発明の請求項７記載のコンクリート構造体の継手の施工方法は、請求項６記載の構成に加え、前記埋設部材を、前記可撓止水継手と接着または一体化して構成して前記継手端面を形成するようにしたことを特徴とするものである。
【００２２】
このコンクリート構造体の継手の施工方法によれば、前記埋設部材を、前記可撓止水継手と接着または一体化して構成して前記継手端面を形成するようにしており、可撓止水継手の設置と同時に補助部材としての埋設部材を設置でき、埋設部材の設置が容易となるとともに、コンクリート打設後に取り除く必要もなく、簡単に鋭角部のない継手端面を形成でき、コンクリート構造体に相対変位が生じても鋭角部がなく、可撓止水継手の損傷を防止できるようになる。
【００２３】
また、この発明の請求項８記載のコンクリート構造体の継手の施工方法は、請求項５記載の構成に加え、前記補助部材を、コンクリート打設後取り除くようにして空間を備えた継手端面を形成するようにしたことを特徴とするものである。
【００２４】
このコンクリート構造体の継手の施工方法によれば、前記補助部材を、コンクリート打設後取り除くようにして空間を備えた継手端面を形成するようにしており、鋭角部を形成する部分の補助部材をコンクリートを打設後に取り除くことで、鋭角部に替わる空間を形成して鋭角部のない継手端面を簡単に形成でき、コンクリート構造体に相対変位が生じても鋭角部がなく、可撓止水継手の損傷を防止できるようにしている。  
なお、ここで、鋭角部とは、直角を含む鋭角の部分をいう。
【発明の効果】
【００２５】
この発明の請求項１記載のコンクリート構造体の継手構造によれば、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手構造であって、前記目地部に、当該目地幅に対して伸縮部の平面幅が異なる前記可撓止水継手を配置し、この可撓止水継手の伸縮部と前記目地材との間に鋭角部のない継手端面を形成し得る補助部材を設けて構成したので、目地部に補助部材を介装することで、鋭角部のない継手端面を形成することができ、これにより、コンクリート構造体に相対変位が生じても鋭角部がなく、可撓止水継手の損傷を防止することができる。
【００２６】
また、この発明の請求項２記載のコンクリート構造体の継手構造によれば、前記補助部材を、継手構造に埋設される埋設部材で構成したので、鋭角部が形成される部分に埋設部材を配置してコンクリートを打設することで、打設後に取り除く必要もなく、簡単に鋭角部のない継手端面を形成することができ、コンクリート構造体に相対変位が生じても鋭角部がなく、可撓止水継手の損傷を防止することができる。
【００２７】
さらに、この発明の請求項３記載のコンクリート構造体の継手構造によれば、前記埋設部材を、前記可撓止水継手と接着または一体化して構成したので、可撓止水継手の設置と同時に補助部材としての埋設部材を設置でき、埋設部材の設置が容易となるとともに、コンクリート打設後に取り除く必要もなく、簡単に鋭角部のない継手端面を形成することができ、コンクリート構造体に相対変位が生じても鋭角部がなく、可撓止水継手の損傷を防止することができる。
【００２８】
また、この発明の請求項４記載のコンクリート構造体の継手構造によれば、前記補助部材を、空間を形成し得る補助型枠で構成し空間を形成するようにしたので、鋭角部が形成される部分に補助型枠を配置してコンクリートを打設後に取り除くことで、鋭角部に替わる空間を形成して鋭角部のない継手端面を簡単に形成することができ、コンクリート構造体に相対変位が生じても鋭角部がなく、可撓止水継手の損傷を防止することができる。
【００２９】
さらに、この発明の請求項５記載のコンクリート構造体の継手の施工方法によれば、先行および後行のコンクリートを打ち継いで構築されるコンクリート構造体の目地部に、目地材および伸縮部を備える可撓止水継手を前記コンクリートに埋設して目地部の内外の止水および当該目地部の相対変位を可能とするコンクリート構造体の継手を施工するに際し、前記目地部に、当該目地幅に対して前記伸縮部の平面幅が異なる前記可撓止水継手を配置し、前記目地部の一方側に、前記伸縮部の平面端を越えた外側または平面端の内側と接する端面用型枠部材とこれに連続させて補助部材とを配置し、あるいは当該平面端に端面用型枠部材を配置した後、コンクリートを打設して鋭角部のない継手端面を形成し、この継手端面に当てて目地材を配置し、次いで、この目地材の端面の外側、あるいは、この目地材の端面とこれに連続させる補助部材との外側にコンクリートを打設して鋭角部のない継手端面を形成するようにしたので、目地部の一方側に、伸縮部の平面端の外側あるいは内側の目地幅から伸縮部までの継手端面を端面用型枠部材と補助部材とで形成するか、あるいは伸縮部の平面端に端面用型枠部材で通常と同様の継手端面を形成することで、鋭角部のない継手端面を形成することができ、いずれかの継手端面に接触させて目地材を配置し、この目地材の外側に目地幅の伸縮部までの平面状の継手端面を端面用型枠部材と補助部材とで形成することで、目地材の両側の継手端面に鋭角部を形成せずに簡単に形成することができ、コンクリート構造体に相対変位が生じても鋭角部がなく、可撓止水継手の損傷を防止することができる。
【００３０】
また、この発明の請求項６記載のコンクリート構造体の継手の施工方法によれば、前記補助部材を、継手構造に埋設される埋設部材で構成して前記継手端面を形成するようにしたので、鋭角部が形成される部分に埋設部材を配置してコンクリートを打設することで、打設後に取り除く必要もなく、簡単に鋭角部のない継手端面を形成することができ、コンクリート構造体に相対変位が生じても鋭角部がなく、可撓止水継手の損傷を防止することができる。
【００３１】
さらに、この発明の請求項７記載のコンクリート構造体の継手の施工方法によれば、前記埋設部材を、前記可撓止水継手と接着または一体化して構成して前記継手端面を形成するようにしたので、可撓止水継手の設置と同時に補助部材としての埋設部材を設置でき、埋設部材の設置が容易となるとともに、コンクリート打設後に取り除く必要もなく、簡単に鋭角部のない継手端面を形成することができ、コンクリート構造体に相対変位が生じても鋭角部がなく、可撓止水継手の損傷を防止することができる。
【００３２】
また、この発明の請求項８記載のコンクリート構造体の継手の施工方法によれば、前記補助部材を、コンクリート打設後取り除くようにして空間を備えた継手端面を形成するようにしたので、鋭角部を形成する部分の補助部材をコンクリートを打設後に取り除くことで、鋭角部に替わる空間を形成して鋭角部のない継手端面を簡単に形成することができ、コンクリート構造体に相対変位が生じても鋭角部がなく、可撓止水継手の損傷を防止することができる。
【発明を実施するための最良の形態】
【００３３】
以下、この発明の実施の形態について、図面に基づき詳細に説明する。  
図１はこの発明のコンクリート構造体の継手構造およびその施工方法の一実施の形態にかかる目地部の断面図である。
【００３４】
このコンクリート構造体の継手構造１０およびその施工方法では、既に図１０で説明したように、コンクリート構造体５、６の目地部４に目地材７および可撓止水継手１を配置することで、コンクリートを打ち継いで構築されるコンクリート構造体５，６の目地部４を止水するとともに、両側のコンクリート構造体５，６の相対変位を可能とするためのものである。
【００３５】
そして、このコンクリート構造体の継手構造１０およびその施工方法では、目地部４の幅（目地幅）Ｂと可撓止水継手１の伸縮部２の一方の平面の幅（平面幅）ｂとが合致しない場合、例えば目地部４の幅（目地幅）Ｂに比べて可撓止水継手１の伸縮部２の平面幅ｂが小さい場合の継手構造とした実施の形態である。
【００３６】
なお、このようなコンクリート構造体は、例えば共同溝等として構築され、断面形状が矩形で所定長さの函体が継手部に可撓止水継手を介装して連結されて構成され、開削工法によって均しコンクリートの上面に現場打ちによって所定長さ毎（函体毎）の継手部に可撓止水継手を介装して打ち継がれて構築され、完成後は所定深さの地中に埋め戻されるものである。
【００３７】
また、以下の説明では、便宜上、図面での上下・左右を基準に説明するが、実際の共同溝などでは、函体の各辺位置により設置状態が異なることから、上下・左右も異なることになる。
【００３８】
このようなコンクリート構造体の継手構造１０およびその施工方法では、まず、図１（ａ）に示すように、目地部４の一方側のコンクリート構造体５の継手端面５ａを鋭角部のないようにするため、目地幅Ｂの一端に端面用型枠部材としての端面型枠１１と補助部材としてのゴムまたは発泡材の補助型枠１２を用いてコンクリート構造体５の継手端面５ａが目地幅Ｂの平面状で可撓止水継手１の中空の伸縮部２の傾斜面に接するように形成する。
【００３９】
したがって、この補助型枠１２は、目地幅Ｂに対応する幅を有し、天面部が平坦とされ、底面部が伸縮部２の上端形状に合わせた台形状の凹部が形成されており、可撓止水継手１の伸縮部２の平面部に被せるように装着される。
【００４０】
そして、この補助型枠１２の上面に端面型枠１１が載せるように配置される（図１（ａ）参照）。  
なお、このような作業とともに、これまでの先行のコンクリート構造体５の打設前と同様な準備工程、例えば補強用の鉄筋などの配筋やその前の可撓止水継手１の固定などが行われる。
【００４１】
こうして先行のコンクリート構造体５のコンクリートの打設の準備が完了した後、コンクリートを打設することで、先行のコンクリート構造体５には、目地幅Ｂの一方側に可撓止水継手１の伸縮部２の平面幅ｂの端部より外側に位置する平面状で、しかも下端部が伸縮部２の傾斜面と接することで、鋭角部のない継手端面５ａが形成される。
【００４２】
この後、端面型枠１１を取り外した後、ゴムや発泡体の補助型枠１２をそのまま残す埋設部材とし、この埋設部材としての補助型枠１２上に目地材７を配置する。
【００４３】
そして、後行のコンクリート構造体６の打設に必要な型枠や補強用の鉄筋の配筋等の準備作業を行った後、後行のコンクリートを打設する。
【００４４】
すると、図示省略したが、図１（ｂ）から容易に分かるように、後行のコンクリート構造体の継手端面も、先行のコンクリート構造体５の継手端面５ａと対称な同一形状となり、可撓止水継手１の伸縮部２の平面幅ｂの端部より外側に位置する平面状で、しかも下端部が伸縮部２の傾斜面と接する、鋭角部のない継手端面が形成される。
【００４５】
このようなコンクリート構造体の継手構造１０およびその施工方法によれば、コンクリート構造体５,６の目地部４の目地幅Ｂと可撓止水継手１の伸縮部２の平面幅ｂとが合致しない場合でも、目地部４のコンクリート構造体５、６の継手端面５ａ、６ａに鋭角部がないので、コンクリート構造体５,６が変位して目地部４の幅が広がった状態で、伸縮部２が水圧等で膨出してもエッジ部分がなく、可撓止水継手１の損傷を防止することができる。
【００４６】
また、このような鋭角部のない継手端面５ａ、６ａを形成するための補助部材として補助型枠１２をゴムや発泡体として目地部４にそのまま残す埋設部材としたので、施工が容易であり、目地部４の目地幅Bが異なる場合にも、簡単に対応して施工することができる。
【００４７】
次に、この発明のコンクリート構造体の継手構造およびその施工方法の他の一実施の形態について、図２により説明するが、既に説明した図１と同一部分には、同一記号を記し、説明は省略する。
【００４８】
このコンクリート構造体の継手構造２０およびその施工方法では、可撓止水継手１の伸縮部２の上端の平面部に被せるように取り付けて鋭角部を形成しないようにする補助部材としての補助型枠２１の形状が異なり、補助型枠２１の上部に、端面型枠部材としての端面型枠１１の下端部、あるいは目地材７の下端部を装着する凹部２１ａが形成してある。
【００４９】
これにより、この補助型枠２１の幅は目地幅Ｂより広く形成され、凹部２１ａの外側の上端が傾斜面とされ、伸縮部の傾斜面と略平行にしてある。  
この補助型枠２１も、既に説明した補助型枠１２と同様、ゴムまたは発泡材で作られる。  
このような補助型枠２１を用いるコンクリート構造体の継手構造２０およびその施工方法は、すでに説明した上記実施の形態と同様にして行われ、ここでは、その説明は省略する。
【００５０】
このようなコンクリート構造体の継手構造２０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出してもエッジ部分がなく、可撓止水継手１の損傷を防止することができる。
【００５１】
また、このコンクリート構造体の継手構造２０およびその施工方法によれば、補助型枠２１の凹部２１ａを利用して端面型枠１１を位置決めしたり、装着することができ、一層容易に端面型枠１１を設置することができる。また、先行のコンクリートを打設後、目地材７を取り付ける場合にも、凹部２１ａを利用して同様に容易に取り付けることができる。
【００５２】
次に、この発明のコンクリート構造体の継手構造の他の一実施の形態について、図３により説明するが、既に説明した図１および図２と同一部分には、同一記号を記し、説明は省略する。
【００５３】
このコンクリート構造体の継手構造３０およびその施工方法では、可撓止水継手１の伸縮部２の中心と目地部４の中心とがずらしてあり、上端の平面部に被せるように取り付けて鋭角部を形成しないようにする補助部材としての補助型枠３１を後行のコンクリートの打設の際にのみ用いるようにしており、先行のコンクリートの打設の際には、これまでと同様にして継手端面が形成される。
【００５４】
すなわち、先行のコンクリート構造体５の継手端面５ａは、目地部４の一方側として、図３（ａ）に示すように、可撓止水継手１の伸縮部２の平面部の端部に合わせて端面用型枠１１が設置されてコンクリートが打設されて構築される。
【００５５】
一方、目地部４の他方側は、同図（ｂ）に示すように、端面用型枠１１を取り外した後、目地材７が伸縮部２の平面部に載せられるとともに、先行のコンクリート構造物５の継手端面５ａに当てるように設置される。
【００５６】
そして、目地材７の底面と可撓止水継手１の伸縮部２の平面部の端を越えた外側に目地材７の外側面と平面をなすように補助型枠３１が装着してある。
【００５７】
この補助型枠３１は、ゴムまたは発泡体で構成され、予め成形した後、可撓止水部材１の伸縮部の傾斜面の外側に貼りつけることで取り付けられたり、コーキング材を充填することで代用することもできる。
【００５８】
こうして目地材７および補助型枠３１を装着した後、後行のコンクリートが打設され、後行のコンクリート構造体の継手端面が形成される。
【００５９】
このようなコンクリート構造体の継手構造３０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出してもエッジ部分がなく、可撓止水継手１の損傷を防止することができる。
【００６０】
また、このコンクリート構造体の継手構造３０およびその施工方法によれば、補助型枠３１の形状が単純な直角三角柱状で良く、簡単に成形することができる。  
さらに、既に説明した上記実施の形態と同様の作用効果を奏する。
【００６１】
次に、この発明のコンクリート構造体の継手構造のさらに他の一実施の形態について、図４により説明するが、既に説明した図３と同一部分には、同一記号を記し、説明は省略する。
【００６２】
このコンクリート構造体の継手構造４０およびその施工方法では、可撓止水継手１の伸縮部２の中心と目地部４の中心とが図３の場合とは逆にずらしてあり、上端の平面部に被せるように取り付けて鋭角部を形成しないようにする補助部材としての補助型枠４１を先行のコンクリートの打設の際にのみ用い、打設後取り除くようにしており、後行のコンクリートの打設の際には、これまでと同様にして継手端面が形成される。
【００６３】
すなわち、先行のコンクリート構造体５の継手端面５ａは、目地部４の一方側として、図４（ａ）に示すように、可撓止水継手１の伸縮部２の平面部の端部の外側に位置させて端面用型枠１１が設置されるとともに、この端面用型枠１１の表面と連続させて端面用型枠１１の底面と可撓止水継手１の伸縮部２の平面部の端を越えた外側の傾斜面に接するように補助型枠４１が装着してある。
【００６４】
この補助型枠部材４１は、ゴムまたは発泡体あるいは木材などの他の素材で構成され、予め成形した後、可撓止水部材１の伸縮部の傾斜面の外側に貼りつけることで取り付けられたり、剥離剤を介してコーキング材を充填することで代用することもできる。
【００６５】
こうして端面用型枠１１および補助型枠４１を装着した後、先行のコンクリートが打設され、先行のコンクリート構造体５の継手端面５ａが形成され、端面用型枠１１および補助型枠４１を取り外すことで、補助型枠４１に相当する空間４２が形成された継手端面５ａが構築される。
【００６６】
一方、目地部４の他方側は、同図（ｂ）に示すように、端面用型枠１１および補助型枠４１を取り外した後、目地材７が伸縮部２の平面部に載せられ、平面部の端が目地材7の外側面と合致され、従来の後行のコンクリート構造体の構築と同様となる。
【００６７】
こうして目地材７を装着した後、後行のコンクリートが打設され、後行のコンクリート構造体の継手端面が形成される。
【００６８】
このようなコンクリート構造体の継手構造４０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出してもエッジ部分がなく、可撓止水継手１の損傷を防止することができる。
【００６９】
また、このコンクリート構造体の継手構造４０およびその施工方法によれば、補助型枠４１を装着するだけで簡単に目地幅が合致しない場合に対応することができる。
なお、この補助型枠４１をコンクリートに埋設するようにしても良い。
さらに、既に説明した上記実施の形態と同様の作用効果を奏する。
【００７０】
以上の各実施の形態では、目地幅Ｂが可撓止水継手１の伸縮部２の平面幅ｂより大きい場合について説明したが、以下、逆に目地幅Ｂが可撓止水継手１の平面幅ｂより小さい場合について説明する。
【００７１】
このコンクリート構造体の継手構造５０およびその施工方法では、まず、図５に示すように、目地部４の両側のコンクリート構造体５、６の継手端面５ａ、６ａを鋭角部のないようにするため、可撓止水継手１の伸縮部２の平面幅ｂの上に補助部材としての補助型枠５１を設けるとともに、この補助型枠５１上に目地幅Ｂの目地材７を配置する。
【００７２】
この補助型枠５１は、その横断面形状が、底部を伸縮部２の平面幅ｂとし、天部を目地幅Ｂとした台形状とされ、ゴムまたは発泡材で形成してある。
【００７３】
そして、図示省略したが、先行のコンクリートの打設の際には、目地材７の替わりに補助型枠５１の上面に端面型枠を載せるように配置する。
【００７４】
さらに、これらの作業とともに、これまでの先行のコンクリート構造体５の打設前と同様な準備工程、例えば補強用の鉄筋などの配筋やその前の可撓止水継手１の固定などが行われる。
【００７５】
こうして先行のコンクリート構造体５のコンクリートの打設の準備が完了した後、コンクリートを打設することで、先行のコンクリート構造体５には、目地幅Ｂの一方側に可撓止水継手１の伸縮部２の平面幅ｂの端部より内側に位置する平面状で、しかも下端部が補助型枠５１を介して伸縮部２の平面端と接することで、鋭角部のない継手端面５ａが形成される。
【００７６】
この後、端面型枠を取り外した後、ゴムや発泡体の補助型枠５１をそのまま残す埋設部材とし、この埋設部材としての補助型枠５１上に目地材７を配置する。
【００７７】
そして、後行のコンクリート構造体６の打設に必要な型枠や補強用の鉄筋の配筋等の準備作業を行った後、後行のコンクリートを打設する。
【００７８】
すると、図示省略したが、図５から容易に分かるように、後行のコンクリート構造体の継手端面も、先行のコンクリート構造体５の継手端面５ａと対称な同一形状となり、可撓止水継手１の伸縮部２の平面幅ｂの端部より内側に位置する平面状で、しかも下端部が補助型枠５１を介して伸縮部２の平面端と接する、鋭角部のない継手端面が形成される。
【００７９】
このようなコンクリート構造体の継手構造５０およびその施工方法によれば、コンクリート構造体５,６の目地部４の目地幅Ｂが可撓止水継手１の伸縮部２の平面幅ｂより狭い場合でも、目地部４のコンクリート構造体５、６の継手端面５ａ、６ａに鋭角部がないので、コンクリート構造体５,６が変位して目地部４の幅が広がった状態で、伸縮部２が水圧等で膨出してもエッジ部分がなく、可撓止水継手１の損傷を防止することができる。
【００８０】
また、このような鋭角部のない継手端面５ａ、６ａを形成するための補助部材として補助型枠５１をゴムや発泡体として目地部４にそのまま残す埋設部材としたので、施工が容易であり、目地部４の目地幅Bが異なる場合にも、簡単に対応して施工することができる。
【００８１】
次に、この発明のコンクリート構造体の継手構造およびその施工方法の他の一実施の形態について、図６により説明するが、既に説明した図５と同一部分には、同一記号を記し、説明は省略する。
【００８２】
このコンクリート構造体の継手構造６０およびその施工方法では、可撓止水継手１の伸縮部２の上端の平面部に取り付けて鋭角部を形成しないようにする補助部材としての補助型枠６１の形状が異なり、補助型枠６１の上部に、端面型枠部材としての端面型枠１１の下端部、あるいは目地材７の下端部を装着する凹部６１ａが形成してあり、端面型枠１１あるいは目地材７の下端部が補助型枠６１に埋め込まれるようになる。  
この補助型枠６１も、既に説明した補助型枠５１と同様、ゴムまたは発泡材で作られる。
【００８３】
このような補助型枠６１を用いるコンクリート構造体の継手構造６０およびその施工方法は、すでに説明した上記実施の形態と同様にして行われ、ここでは、その説明は省略する。
【００８４】
このようなコンクリート構造体の継手構造６０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出してもエッジ部分がなく、可撓止水継手１の損傷を防止することができる。
【００８５】
また、このコンクリート構造体の継手構造６０およびその施工方法によれば、補助型枠６１の凹部６１ａを利用して端面型枠１１を位置決めしたり、装着することができ、一層容易に端面型枠１１を設置することができる。また、先行のコンクリートを打設後、目地材７を取り付ける場合にも、凹部６１ａを利用して同様に容易に取り付けることができる。  
さらに、既に説明した実施の形態と同様の作用効果を奏する。
【００８６】
次に、この発明のコンクリート構造体の継手構造の他の一実施の形態について、図７により説明するが、既に説明した図５および図６と同一部分には、同一記号を記し、説明は省略する。
【００８７】
このコンクリート構造体の継手構造７０およびその施工方法では、可撓止水継手１の伸縮部２の中心と目地部４の中心とがずらしてあり、上端の平面部に取り付けて鋭角部を形成しないようにする補助部材としての補助型枠７１を先行のコンクリートの打設の際にのみ用いるようにしており、後行のコンクリートの打設の際には、これまでと同様にして継手端面が形成される。
【００８８】
すなわち、先行のコンクリート構造体５の継手端面５ａは、目地部４の一方側として、図７（ａ）に示すように、可撓止水継手１の伸縮部２の平面部の端部に合わせて補助部材としての補助型枠７１が配置され、その外側に端面用型枠１１が設置されてコンクリートが打設されて構築される。
【００８９】
この補助型枠７１は、横断面形状が矩形とされ、ゴムまたは発泡体で構成され、予め成形した後、可撓止水部材１の伸縮部の平面部上に貼りつけることで取り付けられる。
【００９０】
このような補助型枠７１とその外側の端面用型枠１１を用いることで、先行のコンクリート構造体５の継手端面５ａは、可撓止水継手１の伸縮部２の平面端で鋭角部が形成されず、補助型枠７１の上端の２ヶ所の角部は９０度の鋭角部となるが、この部分は、伸縮部２が膨出しても接触することがなく本願の鋭角部のない継手端面とはならず問題となることはない。
【００９１】
一方、目地部４の他方側は、同図（ｂ）に示すように、端面用型枠１１を取り外した後、目地材７が補助型枠７１の外側と先行のコンクリート構造物５の継手端面５ａとに当てるように設置され、目地材７の外側面が伸縮部２の平面端と一致するように取り付けられる。
【００９２】
こうして補助型枠７１の外側に目地材７を装着した後、これまでと同様にして後行のコンクリートが打設され、後行のコンクリート構造体の継手端面が形成される。
【００９３】
このようなコンクリート構造体の継手構造７０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出しても接触する可能性のあるエッジ部分がなく、可撓止水継手１の損傷を防止することができる。
【００９４】
また、このコンクリート構造体の継手構造７０およびその施工方法によれば、補助型枠７１の形状が単純な直方体状で良く、簡単に成形することができる。  
さらに、既に説明した上記実施の形態と同様の作用効果を奏する。
【００９５】
次に、この発明のコンクリート構造体の継手構造のさらに他の一実施の形態について、図８により説明するが、既に説明した図７と同一部分には、同一記号を記し、説明は省略する。
【００９６】
このコンクリート構造体の継手構造８０およびその施工方法では、可撓止水継手１の伸縮部２の中心と目地部４の中心とが図７の場合とは逆にずらしてあり、上端の平面部に取り付けて鋭角部を形成しないようにする補助部材としての補助型枠８１を後行のコンクリートの打設の際にのみ用いるようにしており、先行のコンクリートの打設の際には、これまでと同様にして継手端面が形成される。
【００９７】
すなわち、先行のコンクリート構造体５の継手端面５ａは、目地部４の一方側として、図８（ａ）に示すように、可撓止水継手１の伸縮部２の平面部の端部に合致させて端面用型枠１１が設置され、従来の先行のコンクリート構造体の構築と同様に構築される。
【００９８】
一方、目地部４の他方側は、同図（ｂ）に示すように、端面用型枠１１を取り外した後、目地材７が伸縮部２の平面部に載せられて先行のコンクリート構造体５の継手端面５ａに当てて設置される。そして、この目地材７の外側と、平面部の他端との間に補助型枠８１が装着され、この補助型枠８１によって、伸縮部２の平面部の他端から目地材7の外側面までが伸縮部２の傾斜面をほぼ延長する傾斜面となるようにしてある。
【００９９】
この補助型枠８１は、ゴムまたは発泡体で構成され、予め成形した後、可撓止水部材１の伸縮部の平面部の上面に貼りつけることで取り付けられる。
【０１００】
こうして目地材７および補助型枠８１を装着した後、後行のコンクリートが打設され、後行のコンクリート構造体の継手端面が形成される。
【０１０１】
このようなコンクリート構造体の継手構造８０およびその施工方法によれば、目地部４の両側にそれぞれ鋭角部のない継手端面５ａなどを形成することができ、コンクリート構造体５,６が変位して目地部４の幅が広がった状態で、伸縮部２が水圧等で膨出してもエッジ部分がなく、可撓止水継手１の損傷を防止することができる。
【０１０２】
また、このコンクリート構造体の継手構造８０およびその施工方法によれば、補助型枠８１を後行のコンクリートの打設前に装着するだけで簡単に目地幅が合致しない場合に対応することができる。  
さらに、既に説明した上記実施の形態と同様の作用効果を奏する。
【０１０３】
次に、可撓止水継手の形状が異なる場合の一実施の形態について、図９により説明する。  
この実施の形態では、目地幅Ｂが可撓止水継手１の平面幅ｂより小さい場合であり、可撓止水継手１´の一方側にのみ目地部４が形成され、目地材７を配置するようにしたものである。
【０１０４】
このコンクリート構造体の継手構造９０およびその施工方法では、図５で説明した実施の形態と同様に構成され、図示状態では、上下が反対となっているが、目地部４の両側のコンクリート構造体５、６の継手端面５ａ、６ａを鋭角部のないようにするため、可撓止水継手１´の伸縮部２の平面幅ｂの下面に補助部材としての補助型枠９１を設けるとともに、この補助型枠９１に目地幅Ｂの目地材７を連結するように配置する。
【０１０５】
なお、他の構成は、図５で説明した実施の形態と同一であり、重複する説明は省略する。
【０１０６】
このようなコンクリート構造体の継手構造９０およびその施工方法によれば、コンクリート構造体５,６の目地部４の目地幅Ｂが可撓止水継手１の伸縮部２の平面幅ｂより狭い場合でも、目地部４のコンクリート構造体５、６の継手端面５ａ、６ａに鋭角部がないので、コンクリート構造体５,６が変位して目地部４の幅が広がった状態で、伸縮部２が水圧等で膨出してもエッジ部分がなく、可撓止水継手１´の損傷を防止することができる。
【０１０７】
また、このような鋭角部のない継手端面５ａ、６ａを形成するための補助部材として補助型枠９１をゴムや発泡体として目地部４にそのまま残す埋設部材としたので、施工が容易であり、目地部４の目地幅Bが異なる場合にも、簡単に対応して施工することができる。
【０１０８】
なお、この目地部を一方側にのみ配置する可撓止水継手の場合にも、すでに説明した各実施の形態と同一の構成を適用でき、同一の作用効果を奏するものとなる。
【図面の簡単な説明】
【０１０９】
【図１】この発明のコンクリート構造体の継手構造およびその施工方法の一実施の形態にかかる目地部の断面図である。
【図２】この発明のコンクリート構造体の継手構造およびその施工方法の他の一実施の形態にかかる目地部の断面図である。
【図３】この発明のコンクリート構造体の継手構造およびその施工方法のさらに他の一実施の形態にかかる目地部の断面図である。
【図４】この発明のコンクリート構造体の継手構造およびその施工方法の他の一実施の形態にかかる目地部の断面図である。
【図５】この発明のコンクリート構造体の継手構造およびその施工方法の一実施の形態にかかる目地部の断面図である。
【図６】この発明のコンクリート構造体の継手構造およびその施工方法の他の一実施の形態にかかる目地部の断面図である。
【図７】この発明のコンクリート構造体の継手構造およびその施工方法のさらに他の一実施の形態にかかる目地部の断面図である。
【図８】この発明のコンクリート構造体の継手構造およびその施工方法の他の一実施の形態にかかる目地部の断面図である。
【図９】この発明のコンクリート構造体の継手構造およびその施工方法の他の一実施の形態にかかる目地部の断面図および従来の目地部の断面図である。
【図１０】従来のコンクリート構造体の継手構造の説明断面図である。
【図１１】従来のコンクリート構造体の継手構造の目地幅と平面幅が合致しない場合の説明断面図である。
【符号の説明】
【０１１０】
１、１´  可撓止水継手
２        伸縮部（センタバルブ）
３        係止凸条部（サイドバルブ）
４        目地部
５        先行のコンクリート構造体
６        後行のコンクリート構造体
７        目地材
８        鋭角部
１０      コンクリート構造体の継手構造
１１      端面用型枠
１２      補助型枠
２０      コンクリート構造体の継手構造
２１      補助型枠
２１ａ    凹部
３０      コンクリート構造体の継手構造
３１      補助型枠
４０      コンクリート構造体の継手構造
４１      補助型枠
４２      空間
５０      コンクリート構造体の継手構造
５１      補助型枠
６０      コンクリート構造体の継手構造
６１      補助型枠
６１ａ    凹部
７０      コンクリート構造体の継手構造
７１      補助型枠
８０      コンクリート構造体の継手構造
８１      補助型枠
９０      コンクリート構造体の継手構造
９１      補助型枠
【図１】
0004611883.tif 000002
【図２】
0004611883.tif 000003
【図３】
0004611883.tif 000004
【図４】
0004611883.tif 000005
【図５】
0004611883.tif 000006
【図６】
0004611883.tif 000007
【図７】
0004611883.tif 000008
【図８】
0004611883.tif 000009
【図９】
0004611883.tif 000010
【図１０】
0004611883.tif 000011
【図１１】
0004611883.tif 000012